(57)【要約】      （修正有）【課題】オートバイ又は自転車へのスマートフォン又はフラットパネルコンピュータの固定及び支持装置を提供する。【解決手段】スマートフォンを挿入できる挿入口を具えた固定カバー１２と、結束ユニット１であって、少なくとも１本の、両端が相互に結合可能で並びに該固定カバー１２の底部に固定される結束用バンド装置１１で構成され、各該結束用バンド装置１１が柔軟で伸縮性の無い材料で形成され、各該結束用バンド装置１１の対応する結合面に、それぞれ面ファスナー１８が設けられる。さらに、該結束用バンド装置１１の底面に固定され、滑り止めと震動防止機能を有する、柔軟止滑層１５と、を包含し、スマートフォンが該固定カバー１２に挿入された後に、該結束用バンド装置１１がオートバイ或いは自転車のハンドル或いはオイルタンクを結束し、並びに該結束用バンド装置１１に設けられた面ファスナー１８により、ハンドル或いはオイルタンクに位置決めされる。【選択図】図１
0003176972.tif 000002
【実用新案登録請求の範囲】
【請求項１】
オートバイ又は自転車へのスマートフォン又はフラットパネルコンピュータの固定及び支持装置において、
固定カバーであって、スマートフォンを挿入できる挿入口を具えた、上記固定カバーと、
結束ユニットであって、少なくとも１本の、両端が相互に結合可能で並びに該固定カバーの底部に固定される結束用バンド装置で構成され、各該結束用バンド装置が柔軟で伸縮性の無い材料で形成され、各該結束用バンド装置の対応する結合面に、それぞれ面ファスナーが設けられた、上記結束ユニットと、
柔軟止滑層であって、該結束用バンド装置の底面に固定され、滑り止めと震動防止機能を有する、上記柔軟止滑層と、
を包含し、スマートフォンが該固定カバーに挿入された後に、該結束用バンド装置がオートバイ或いは自転車のハンドル或いはオイルタンクを結束し、並びに該結束用バンド装置に設けられた面ファスナーにより、該結束用バンド装置が緊密に強固に該ハンドル或いはオイルタンクに位置決めされることで、該スマートフォンが強固にオートバイ又は自転車のハンドル或いはオイルタンクに位置決めされることを特徴とする、オートバイ又は自転車へのスマートフォン又はフラットパネルコンピュータの固定及び支持装置。
【請求項２】
請求項１に記載のオートバイ又は自転車へのスマートフォン又はフラットパネルコンピュータの固定及び支持装置において、該結束用バンド装置はナイロン等の柔軟でフレキシブルであり且つ強靱で延伸弾性の低い材料で形成され、下層に結合される柔軟止滑層はゴム、皮革、人造皮革或いはシリコン片の柔軟でフレキシブルであり止滑機能のある材料で形成されることを特徴とする、オートバイ又は自転車へのスマートフォン又はフラットパネルコンピュータの固定及び支持装置。
【請求項３】
請求項１に記載のオートバイ又は自転車へのスマートフォン又はフラットパネルコンピュータの固定及び支持装置において、該結束用バンド装置に相互に係合するバックル装置が設けられたことを特徴とする、オートバイ又は自転車へのスマートフォン又はフラットパネルコンピュータの固定及び支持装置。
【請求項４】
請求項１に記載のオートバイ又は自転車へのスマートフォン又はフラットパネルコンピュータの固定及び支持装置において、該結束用バンド装置の端部の内面と外面に、それぞれ部分的に面ファスナーが設けられ、並びに該結束用バンド装置の該バックル近くの外面にも、部分的に面ファスナーが設けられ、正常使用時に、該結束用バンド装置の一端が該バックルに通されてから折り返された後、その端部外面に設けられた面ファスナーが外面の面ファスナーと結合されて、該結束用バンド装置が緊密に結束され位置決めされ、該結束用バンド装置が大サイズのオートバイ又は自転車のハンドル或いはその他の部分に取り付けられる時に、該結束用バンド装置の長さが不十分である時、該結束用バンド装置の一端が該バックルに通された後に、該結束用バンド装置の内面に設けられた面ファスナーが該バックル近くの外面に設けられた面ファスナーと相互に結合されることで、該結束用バンド装置が強固に結束され位置決めされることを特徴とする、オートバイ又は自転車へのスマートフォン又はフラットパネルコンピュータの固定及び支持装置。
【請求項５】
請求項１に記載のオートバイ又は自転車へのスマートフォン又はフラットパネルコンピュータの固定及び支持装置において、該結束用バンド装置のバックル近くが該固定カバーに結合され、並びに固定カバーの底面側辺に面ファスナーが設けられ、該結束用バンド装置の外面にも面ファスナーが設けられ、並びに結束用バンド装置の端部の内面と外面にもそれぞれ面ファスナーが設けられ、使用時に、該結束用バンド装置の一端が該バックルに通されて折り返された後、その端部の外面に設けられた面ファスナーと外面の面ファスナーが結合されるか、該結束用バンド装置の一端がバックルに通された後に、直接その端部内面に設けられた面ファスナーが該固定カバーの底面側辺に設けられた面ファスナーと結合されることを特徴とする、オートバイ又は自転車へのスマートフォン又はフラットパネルコンピュータの固定及び支持装置。
【請求項６】
オートバイ又は自転車へのスマートフォン又はフラットパネルコンピュータの固定及び支持装置において、
結束ユニットであって、少なくとも一組の、両端が相互に結合可能な結束用バンド装置を具え、該結束用バンド装置は柔軟であるが伸縮性の無い材料で形成され、各組の結束用バンド装置の対応する結合面にはそれぞれ面ファスナーが設けられた、上記結束ユニットと、
該結束用バンド装置の中段上面に設けられた面ファスナーと、
固定カバーであって、スマートフォンが取り付けられ、底面に面ファスナーが設けられ、該固定カバーの底面の面ファスナーが該結束用バンド装置中の面ファスナーと結合されることで、該固定カバーと該結束ユニットがスピーディーに且つ便利に着脱される、上記固定カバーと、
柔軟止滑層であって、該結束用バンド装置の底面に固定され、滑り止めと震動防止機能を有するゴム層を有し、該結束用バンド装置がオートバイ又は自転車のハンドル或いはオイルタンクを結束する時にそのぐらつきと移動を防止する、上記柔軟止滑層と、
を包含し、該結束ユニットがその結束用バンド装置によりオートバイ又は自転車のハンドル或いはオイルタンクを結束し、並びに該結束用バンド装置に設けられた面ファスナーにより、該結束用バンド装置が緊密に強固に位置決めされ、スマートフォンが該固定カバーに挿入された後に、該固定カバー底部の面ファスナーと該結束用バンド装置の中段上面の面ファスナーが結合されることで、該スマートフォンが強固にオートバイ又は自転車のハンドル或いはオイルタンクに位置決めされることを特徴とする、オートバイ又は自転車へのスマートフォン又はフラットパネルコンピュータの固定及び支持装置。
【請求項７】
請求項６に記載のオートバイ又は自転車へのスマートフォン又はフラットパネルコンピュータの固定及び支持装置において、該結束用バンド装置はナイロン等の柔軟でフレキシブルであり且つ強靱で延伸弾性の低い材料で形成され、下層に結合される柔軟止滑層はゴム、皮革、人造皮革或いはシリコン片の柔軟でフレキシブルであり止滑機能のある材料で形成されることを特徴とする、オートバイ又は自転車へのスマートフォン又はフラットパネルコンピュータの固定及び支持装置。
【請求項８】
請求項６に記載のオートバイ又は自転車へのスマートフォン又はフラットパネルコンピュータの固定及び支持装置において、該柔軟止滑層は片状或いは不連続の形態とされることを特徴とする、オートバイ又は自転車へのスマートフォン又はフラットパネルコンピュータの固定及び支持装置。
【請求項９】
請求項６に記載のオートバイ又は自転車へのスマートフォン又はフラットパネルコンピュータの固定及び支持装置において、該結束ユニットはスマートフォンをオートバイ又は自転車に固定するのに使用されるほか、必要によりフラットパネルコンピュータを固定するための固定カバーと結束用バンド装置に形成され得て、フラットパネルコンピュータを自動車のステアリングホイール或いはオートバイのハンドル或いはオイルタンクに固定するのに供されることを特徴とする、オートバイ又は自転車へのスマートフォン又はフラットパネルコンピュータの固定及び支持装置。
【請求項１０】
オートバイ又は自転車へのスマートフォン又はフラットパネルコンピュータの固定及び支持装置において、
結束ユニットであって、少なくとも一組の、両端が相互に結合可能な結束用バンド装置を具え、該結束用バンド装置の対応する結合面にはそれぞれ面ファスナーが設けられ、該結束用バンド装置の中段上面にも面ファスナーが設けられた、上記結束ユニットと、
固定カバーであって、該固定カバーのそのうち一つの隣り合う両側は閉じられ、もう一つの隣り合う両側は開放された挿入口とされ、該固定カバーの上面の透明層は該両側の挿入口の対応する辺部に、それぞれ延伸部が形成され、各延伸部の内面と固定カバーの対応する底部間に、それぞれ面ファスナーが設けられ、スマートフォンが該挿入口より該固定カバー内に挿入され、さらに二つの該延伸部が下向きに折り曲げられて、スマートフォンが被覆固定された後に、さらに該固定カバー下方の面ファスナーと結合され、これにより該固定カバーが異なるサイズのスマートフォンの被覆固定に使用可能とされたことを特徴とする、オートバイ又は自転車へのスマートフォン又はフラットパネルコンピュータの固定及び支持装置。
【請求項１１】
オートバイ又は自転車へのスマートフォン又はフラットパネルコンピュータの固定及び支持装置において、
スマートフォンを取り付けられる固定カバーの背面に、一つ或いは複数の結束用バンド装置が設けられ、該結束用バンド装置のそのうち一端に、バックルが設けられ、他端は該バックルに通された後に折り返されて相互に結合され、各結束用バンド装置の結合面にそれぞれ面ファスナーが設けられ、
使用時に、スマートフォンが該固定カバー内に置かれ、さらに、該結束用バンド装置の一端が該バックルに通されてから折り返されて、その面ファスナーにより相互に結合され、並びに該結束用バンド装置に設けられた面ファスナーにより該結束用バンド装置が強固に位置決めされた後、スマートフォンが強固に手指及び掌に位置決めされ、スマートフォンによる撮影時に片手でスマートフォンのタッチパネルを操作できてスマートフォンに震動或いは歪みを発生させないことを特徴とする、オートバイ又は自転車へのスマートフォン又はフラットパネルコンピュータの固定及び支持装置。
【請求項１２】
請求項１１記載のオートバイ又は自転車へのスマートフォン又はフラットパネルコンピュータの固定及び支持装置において、該結束用バンド装置によりスマートフォンがリュックサックのショルダーバンド或いは腰ベルトに取り付けられることを特徴とする、オートバイ又は自転車へのスマートフォン又はフラットパネルコンピュータの固定及び支持装置。
【請求項１３】
請求項１１記載のオートバイ又は自転車へのスマートフォン又はフラットパネルコンピュータの固定及び支持装置において、該結束用バンド装置がスマートフォンの背部ケースに結合されたことを特徴とする、オートバイ又は自転車へのスマートフォン又はフラットパネルコンピュータの固定及び支持装置。
【請求項１４】
請求項１１記載のオートバイ又は自転車へのスマートフォン又はフラットパネルコンピュータの固定及び支持装置において、該固定カバーの背面に設けられた該結束用バンド装置が折り返されて結合されてリング状を形成する時、該結束用バンド装置の形成するリングの大きさを調整することで、卓上面に置かれた時に縦向き或いは横向きにスマートフォンを支持して必要な視覚角度を形成することを特徴とする、オートバイ又は自転車へのスマートフォン又はフラットパネルコンピュータの固定及び支持装置。
【請求項１５】
請求項１１記載のオートバイ又は自転車へのスマートフォン又はフラットパネルコンピュータの固定及び支持装置において、該結束用バンド装置のそのうち一端にバックルが設けられず、該結束用バンド装置の両端が結合されて環状とされることを特徴とする、オートバイ又は自転車へのスマートフォン又はフラットパネルコンピュータの固定及び支持装置。
【請求項１６】
請求項１１記載のオートバイ又は自転車へのスマートフォン又はフラットパネルコンピュータの固定及び支持装置において、該固定カバーの背面に一つ或いは複数の結束用バンド装置が結合されて、フラットパネルコンピュータの取り付けに供されることを特徴とする、オートバイ又は自転車へのスマートフォン又はフラットパネルコンピュータの固定及び支持装置。
【請求項１７】
請求項１６記載のオートバイ又は自転車へのスマートフォン又はフラットパネルコンピュータの固定及び支持装置において、そのうち任意の該結束用バンド装置が任意の硬質支持物を結束し、縦向き或いは横向きにフラットパネルコンピュータを支持して必要な視覚角度を形成することを特徴とする、オートバイ又は自転車へのスマートフォン又はフラットパネルコンピュータの固定及び支持装置。
【請求項１８】
請求項１７記載のオートバイ又は自転車へのスマートフォン又はフラットパネルコンピュータの固定及び支持装置において、該硬質支持物が該結束用バンド装置により結束され得る任意の日用品とされることを特徴とする、オートバイ又は自転車へのスマートフォン又はフラットパネルコンピュータの固定及び支持装置。
【考案の詳細な説明】
【技術分野】
【０００１】
本考案は一種の、オートバイ及び自転車へのスマートフォン又はフラットパネルコンピュータの固定及び支持装置に関する。
【背景技術】
【０００２】
現在、科学技術の発達により、電子通信テクノロジーは日増しに発達し、また、生活水準の向上により、携帯電話の使用は相当に普及しており、一人が一台は持つ段階に達している。携帯電話の機能も、過去の通話とショートメッセージのみから、ナビゲーション、インターネット、ビデオ、音楽、ゲーム及び映画観賞等の機能まで拡がっている。スマートフォンは走行或いは静止状態で手持ち方式でデータサーチが行えるが、現在のところ、交通工具、たとえばオートバイ及び自転車等の走行間に、ナビゲーション機能のためには使用されていない。これは、携帯電話或いはフラットパネルコンピュータの発展時間はまだ短く、設計が完全である固定装置によって表面外形設計が非常に多いオートバイ又は自転車のハンドルに固定することができないためである。このため、現在僅かに自動車で使用されている衛星ナビゲーション設備がみられるだけで、オートバイ及び自転車には便利に使用できるナビゲーション設備或いは携帯電話或いはフラットパネルコンピュータはない。且つ一般に市販されている携帯電話用スタンドは室内空間が比較的大きい自動車内でのみ使用可能で、オートバイ及び自転車では使用できない。オートバイ及び自転車上で使用できるようにするには、それが多くの可動ジョイントを有する設計構造のため、また、オートバイ及び自転車の震動防止効果が低いため、ぐらついたり脱落したりしやすい。
【０００３】
このため、いかにスマートフォンのナビゲーション機能を直接的に利用できるようにし、且つ余分に他のナビゲーション設備を購入する必要をなくし、すなわち、オートバイ及び自転車にナビゲーション機能を具備させるかが、本考案の主要な目的である。
【０００４】
さらに、現在市販されているスマートフォンは、そのカメラの画素数が大幅にアップしているが、カメラの画素数が大幅にアップしているにも関わらず、スマートフォンで撮影した写真或いはビデオはその品質がいずれも不良である。その主要な原因は、スマートフォンを使用して撮影する時、一方の手でボデーの上下を握持し、もう一方の手で手指でスクリーンのコントロールブロックをタッチするが、タッチする時に、手指のタッチの推力に対して人体本能が平衡をとろうとして、自然な回転現象を発生するため、スマートフォンのボデーにぐらつき或いは偏りを発生させ、撮影の品質に影響が生じ、且つスマートフォンはますます小型化され、つるつるした表面とエッジは、片手で撮影動作を行うのが極めて難しいことにある。
【０００５】
さらに、現在市販されているスマートフォンおよびパームトップ型ゲーム機は娯楽の機能を有するため、大多数の人はバスを待つ時或いは乗車中に、スマートフォンおよびパームトップ型ゲーム機のゲーム機能により時間を潰している。しかし、スマートフォンおよびパームトップ型ゲーム機のどちらを使用しても、その共通する特徴は、両手でスマートフォンおよびパームトップ型ゲーム機の両側を握持し、さらに両手の親指でタッチスクリーンに触れて操作することで、スマートフォンおよびパームトップ型ゲーム機が手中より脱落するのを防止することにある。ただし、多くの人がゲームに没頭するあまり、不注意からスマートフォンおよびパームトップ型ゲーム機が手中より滑り落ちて損壊することがある。また、スマートフォンおよびパームトップ型ゲーム機でゲームを楽しむグルームには、成人のほか、児童の占める割合も少なくないが、児童の掌は比較的小さく、手部の筋肉も発育が未熟であるため、スマートフォンおよびパームトップ型ゲーム機を落して損壊する確率がさらに高くなる。
【考案の概要】
【考案が解決しようとする課題】
【０００６】
本考案は以下のような優れた点を有するものとする。
１．本考案は固定カバーと結束用バンド装置の設計により、スマートフォン、ＧＰＳ装置、或いはフラットパネルコンピュータを異なる造形設計のオートバイ及び自転車のハンドル或いはオートバイのオイルタンクに強固に位置決めするか、或いはフラットパネルコンピュータを自動車のステアリングホイールに固定して使用できるようにし、これによりナビゲーション及びその他の機能を使用できるようにする。
２．本考案は結束用バンド装置の底面に、滑り止めと震動防止用のゴム層を結合可能で、これにより結束用バンド装置をオートバイ及び自転車のハンドルにくくり付ける時に、そのぐらつきと移動を防止する目的を達成する。
３．本考案はさらに、固定カバー底部の面ファスナーと結束用バンド装置中段上面の面ファスナーを結合させることで、オートバイ及び自転車を離れる時に、スピーディー且つ便利に固定カバーと結束用バンド装置を分離させられ、スマートフォンの盗難を防止できる。
４．本考案は固定カバーと結束用バンド装置の設計により、スマートフォンを固定カバー内に設置した後に、結束用バンド装置で手指にくくり付けることができ、並びに結束用バンド装置に設けられた面ファスナーで結束用バンド装置を緊密に強固に位置決めすることで、スマートフォンを強固に手指と掌に位置決めでき、撮影時に、僅かに片手でスマートフォンのタッチパネルのコントロールブロックをタッチすればよく、大幅にスマートフォンで撮影する時に発生するぐらつき或いは歪みを減らして、スマートフォンの発生する震動を低くして良好な撮影効果を得ることができ、且つ使用者が撮影する時に、スマートフォンが容易に手中より脱落して損壊することがない。
５．本考案は、該結束用バンド装置が形成するリングの大きさを調整することにより、卓上に置いた時に、スマートフォン或いはフラットパネルコンピュータを必要な視覚角度に支持する目的を達成でき、且つ結束用バンド装置自身の材料特性により、必要なリングサイズを形成した時に、軽く固定カバー背面を押圧することで、リングを圧迫変形させて無段支持の効果を発生することができる。
６．本考案はオートバイ又は自転車へのスマートフォン又はフラットパネルコンピュータの固定及び支持装置により、腰のバンド或いはリュックサックのショルダーバンドにスマートフォンを取り付けることができる。
７．本考案は固定カバーと結束用バンド装置の設計により、スマートフォン或いはパームトップ型ゲーム機を固定カバー内に設置した後、さらに結束用バンド装置により左右の手の手指を結束することで、スマートフォン或いはパームトップ型ゲーム機をしっかりと左右の手の間に位置決めでき、軽く左右の手の親指でスマートフォン或いはパームトップ型ゲーム機のタッチパネルに触れてゲーム操作が行え、且つスマートフォン或いはパームトップ型ゲーム機が手中より滑り落ちて損壊しにくい。
【課題を解決するための手段】
【０００７】
本考案はオートバイ又は自転車へのスマートフォン又はフラットパネルコンピュータの固定及び支持装置を提供し、それは、結束ユニットと固定カバーを包含し、該結束ユニットは少なくとも一組の、両端が相互に結合可能で該固定カバーの底部に固定された結束用バンド装置を具えている。各組の該結束用バンド装置は、対向する結束面に、それぞれ面ファスナー或いはバックルが設けられ、該固定カバーにはスマートフォンが取り付けられ、該スマートフォンが該固定カバー内に置かれた後、結束ユニットの結束用バンド装置でオートバイ及び自転車にくくり付けられ、並びに該結束用バンド装置に設けられた面ファスナーにより、結束用バンド装置が緊密に強固に位置決めされることで、スマートフォンが強固に異なる造形設計のオートバイ及び自転車のハンドルに取り付けられるか、或いは、フラットパネルコンピュータが自動車のステアリングホイールに固定されて使用され、ナビゲーション及びその他の機能の使用に供される。また、結束用バンド装置の底面に、滑り止めと震動防止用のゴム層を結合可能で、結束用バンド装置に異なる造形設計のオートバイ及び自転車のハンドルを結束させ、ぐらつきと移動を防止する目的を達成する。さらに結束用バンド装置に手指を結束させ、並びに結束用バンド装置に設けられた面ファスナーで結束用バンド装置を緊密に締めて位置決めし、スマートフォンを強固に手指と掌に位置決めでき、撮影時に片手の手指でスマートフォンのタッチパネル上のコントロールブロックをタッチする時に、スマートフォンにぐらつき或いは歪みを発生させず、スマートフォンが発生する震動を減らして良好な撮影効果を得ることができ、且つ固定カバーの背面に設けられた結束用バンド装置を対向する方向に折り曲げて、相互に結合させて一つのリングを形成する時、該結束用バンド装置の形成するリングの大きさにより、卓上にスマートフォン或いはフラットパネルコンピュータを置いた時に必要な視覚角度を得る目的を達成し、且つ結束用バンド装置自身の材料特性により、必要なリングの大きさを形成する時に、軽く固定カバーの背面を押圧することで、リングを圧迫して変形させ、無段支持の効果を発生させることができ、且つ本考案によりスマートフォンを腰のベルト或いはリュックサックのショルダーバンドに取り付けることができる。
【考案の効果】
【０００８】
本考案により、スマートフォンを強固にオートバイ及び自転車に位置決めでき、或いはフラットパネルコンピュータを自動車のステアリングホイールに固定して使用でき、これによりナビゲーション及びその他の機能を使用できるようにする。本考案は並びにスマートフォンで撮影する時のぐらつきと震動を防止し、撮影効果をアップし、縦向き或いは横向きにスマートフォン或いはフラットパネルコンピュータを支持してその必要な視覚角度に調整できる。
【図面の簡単な説明】
【０００９】
【図１】本考案の好ましい実施例の立体分解図である。
【図２】本考案の組合せ断面図である。
【図３】本考案により携帯電話を自転車のハンドルに取り付けた実施例の立体図である。
【図４】本考案の別の実施例の立体分解図である。
【図５】本考案の結束用バンド装置の底面に不連続ゴム層を設けた実施例の立体図である。
【図６】本考案の結束用バンド装置の底面に片状ゴム層を設けた実施例の立体図である。
【図７】本考案の結束用バンド装置の結束時の実施例の側面図である。
【図８】本考案によりスマートフォンをオートバイのハンドルにくくり付けた実施例の平面図である。
【図９】本考案の開口が側辺に設けられた固定カバーを使用した実施例の立体分解図である。
【図１０】図９の設計を自転車に使用した実施例の立体図である。
【図１１】本考案によりフラットパネルコンピュータをオートバイのハンドルに固定しフラットパネルコンピュータをオートバイのメーター上方に配置してナビゲーション、方向及びスピードを表示した実施例図である。
【図１２】本考案によりフラットパネルコンピュータを自動車のステアリングホイールに固定する実施例図である。
【図１３】本考案の結束ユニットの他の実施例図である。
【図１４】図１３の結束用バンド装置の長さが十分に長くない時の使用状態図である。
【図１５】本考案の結束用バンド装置のバックル部近くを固定カバー底部に固定し並びに固定カバー底面側辺に面ファスナーを設けた実施例図である。
【図１６】図１５の使用状態図である。
【図１７】本考案の別の一種のスマートフォンと固定カバーの実施例の立体分解図である。
【図１８】図１７のスマートフォンと固定カバーの立体分解図である。
【図１９】本考案の結束用バンド装置に設けられた面ファスナーにより結束用バンド装置を緊密に結束、位置決めすることで、スマートフォンを強固に手指と掌に位置決めする実施例図である。
【図２０】本考案の結束用バンド装置を直接スマートフォンの背面ケースに結合させた実施例図である。
【図２１】本考案によりスマートフォンをリュックサックのショルダーバンドに取り付けた実施例図である。
【図２２】本考案によりスマートフォンを腰のバンドに取り付けた実施例図である。
【図２３】本考案の結束用バンド装置が形成するリングの大きさを調整し、卓上においてスマートフォンを縦向きに支持する実施例の立体図である。
【図２４】本考案のフラットパネルコンピュータと固定カバーの立体分解図である。
【図２５】本考案の結束用バンド装置が形成するリングの大きさを調整し、卓上においてスマートフォンを横向きに支持する実施例の立体図である。
【図２６】本考案のそのうち一つの結束用バンド装置で硬質支持物を結束してフラットパネルコンピュータを支持し、それに必要な視覚角度を形成させる実施例の側面図である。
【図２７】本考案のもう一つの結束用バンド装置で硬質支持物を結束してフラットパネルコンピュータを支持し、それに必要なもう一つの視覚角度を形成させる実施例の側面図である。
【図２８】本考案の結束用バンド装置で別の一種の硬質支持物を結束してフラットパネルコンピュータを支持してそれに必要な視覚角度を形成させる実施例の側面図である。
【図２９】本考案の固定カバーと結束用バンド装置の設計により、結束用バンド装置で左右の手指を結束してスマートフォン或いはパームトップ型ゲーム機をしっかりと左右の手の間に吊掛ける実施例図である。
【図３０】本考案の固定カバーと結束用バンド装置の設計により、結束用バンド装置で左右の手指を結束してスマートフォン或いはパームトップ型ゲーム機をしっかりと左右の手の間に吊掛け、並びにその正面を前向きに回転させた実施例図である。
【図３１】本考案の固定カバーと結束用バンド装置の設計により、結束用バンド装置で左右の手指を結束してスマートフォン或いはパームトップ型ゲーム機をしっかりと左右の手の間に吊掛け、左右の手の親指でタッチパネルにタッチしてゲーム操作を行う実施例図である。
【考案を実施するための形態】
【００１０】
図１及び図２を参照されたい。本考案は、結束ユニット（１）及び固定カバー（１２）を包含する。該結束ユニット（１）は、少なくとも１本の、両端が相互に結合可能であり、並びに固定カバー（１２）底部に固定された結束用バンド装置（１１）を具えている。各結束用バンド装置（１１）の対応する結合面に、それぞれ面ファスナー（１８）或いはバックルが設けられる。
【００１１】
該固定カバー（１２）の一側には挿入口があり、並びに挿入口に挿入口シール片（１３）が設けられ、スマートフォン（１６）が固定カバー（１２）に挿入された後、該挿入口シール片（１３）が上向きに折り曲げられて固定カバー（１２）の一側の挿入口内に挿入される。
【００１２】
さらに、結束用バンド装置（１１）がオートバイ（４）又は自転車（３）のハンドル（４１）（３１）或いはオイルタンク上にくくり付けられ、並びに結束用バンド装置（１１）に設けられた面ファスナー（１８）により、結束用バンド装置（１１）が緊密に強固に結束、位置決めされ、これによりスマートフォン（１６）がしっかりとオートバイ（４）又は自転車（３）に位置決めされ、ナビゲーション及びその他の機能が使用可能となる。
【００１３】
また、結束用バンド装置（１１）の底面に、滑り止め及び震動防止用の柔軟止滑層（１５）が結合され得て、これにより結束用バンド装置（１１）がオートバイ（４）或いは自転車（３）のハンドル（４１）（３１）或いはオイルタンクに取り付けられる時に、さらに安定し、滑らないものとされる（図３に示されるとおり）。固定カバー（１２）の上面には開放部（１２１）がある。
【００１４】
次に図４を参照されたい。本考案は別の実施例において、結束ユニット（１）と固定カバー（２）を包含し、該結束ユニット（１）は少なくとも一組の、両端が相互に結合可能な結束用バンド装置（１１）を具えている。各組の結束用バンド装置（１１）の対応する結合面にはそれぞれ面ファスナー（１８）或いはバックルが設けられる。
【００１５】
該固定カバー（２）の挿入口（２１）の上部に、スマートフォン（１６）が固定され、固定カバー（１２）の底面と前述の結束用バンド装置（１１）の中段上面にも、相互に結合可能でスピーディーに分離もできる面ファスナー（２２）（１９）が設けられ、結束ユニット（１）がその結束用バンド装置（１１）によりオートバイ（４）又は自転車（３）のハンドル（４１）（３１）或いはオイルタンクに取り付け可能とされ、並びに結束用バンド装置（１１）に設けられた面ファスナー（１８）或いはバックルにより、結束用バンド装置（１１）が緊密に強固に結束されて位置決めされる。
【００１６】
スマートフォン（１６）が固定カバー（２）に挿入された後、固定カバー（２）底部の面ファスナー（２２）と結束用バンド装置（１１）の中段上面の面ファスナー（１９）が結合され、スマートフォン（１６）がしっかりとオートバイ（４）又は自転車（３）に取り付けられて、ナビゲーション機能及びその他の機能の使用に供される。
【００１７】
また結束用バンド装置（１１）の底面には、滑り止め及び震動防止用の柔軟止滑層（１４）が結合され得て、これにより結束用バンド装置（１１）がオートバイ（４）或いは自転車（３）のハンドル（４１）（３１）或いはオイルタンクに取り付けられる時（図３、図８及び図１０に示されるとおり）に、ぐらつきと移動を防止する目的を達成する。そのうち、該柔軟止滑層（１４）は片状に設けられるか、不連続の形態とされ得る（図５及び図６に示されるとおり）。
【００１８】
そのうち、各組の結束用バンド装置（１１）のそのうちの一端には、バックル（１１１）が設けられ、結束時に結束用バンド装置（１１）の他端が該バックル（１１１）に通された後、さらに面ファスナー（１８）により固定される（図７に示されるとおり）。
【００１９】
さらに、固定カバー（２）は上方の挿入口（２１）の形式のほか、側方に挿入口（５１）が設けられてもよく、スマートフォン（１６）は側方の挿入口（５１）より固定カバー（５）内に挿入されて、前述の実施例と同じ使用効果を達成する（図９及び図１０に示されるとおり）。
【００２０】
このほか、該結束ユニット（１）はまたフラットパネルコンピュータ（８）をオートバイ（４）のハンドル（４１）或いはオイルタンクに取り付けることができ、これにより、フラットパネルコンピュータ（８）をオートバイ（４）のメーターの上方に配置して、ナビゲーション機能、方位或いは速度の表示を行える（図１１に示されるとおり）。
【００２１】
また、必要に応じてフラットパネルコンピュータ（８）を固定するための固定カバー（６）と結束用バンド装置（１１）を製造し、フラットパネルコンピュータ（８）を自動車のステアリングホイール（９）に固定して使用することもできる（図１２に示されるとおり）。
【００２２】
本考案は、一般のスクーター或いはオートバイ（４）或いは自転車（３）のハンドル（４１）（３１）の設計変化が非常に大きく、平面物品たとえばスマートフォン（１６）或いはフラットパネルコンピュータ（８）を、曲面を有する、滑りやすい表面に固定することは非常に困難であることを考慮し、結束ユニット（１）を設計した。その結束用バンド装置（１１）の上層は、柔軟でフレキシブルであるが強靱であり、低い延伸弾性を有する帯体、たとえばナイロンベルト等を材料として運用し、下層の柔軟止滑層（１４）は、延伸性と柔軟性を有してフレキシブルであり、止滑作用を有する材料、たとえばゴムバンド、皮革、人造皮革或いはシリコーンゴム片を使用し、さらに上層と下層を縫合或いは溶着させて、単一の結束用バンド装置（１１）を形成する。
【００２３】
結束用バンド装置（１１）の上層は柔軟でフレキシブルであるが強靱で低い延伸弾性を有する材料とされ、物品を結束するが、その低い摩擦性によりオートバイ（４）或いは自転車（３）のハンドル（４１）（３１）或いはオイルタンクの滑りやすい表面上では、オートバイ（４）或いは自転車（３）の走行時に滑って移動しやすい。
【００２４】
結束用バンド装置（１１）の下層は柔軟でフレキシブルであり止滑作用のある材料が使用され、極めて良好な延伸性を有し、単独で高い引張り力の結束に使用されると、圧力を受けてその長さが延伸されてしまい、必要な緊密な結束機能の要求を達成できない。
【００２５】
ゆえに、これらの二種類の物理特性を結合させた材料を本考案のオートバイ又は自転車へのスマートフォン又はフラットパネルコンピュータの固定及び支持装置に運用する時、表面の曲げ度が不一致である各種のオートバイ（４）或いは自転車（３）のハンドル（４１）（３１）或いはオイルタンクを結束した後、ハンドル（４１）（３１）或いはオイルタンク等の円弧を有する表面と緊密に接合し、延伸によりゆるむことがなく、また簡単に滑って移動することがなく、さらに、ハンドル或いはオイルタンクの表面のつや出し処理を破壊することがない。
【００２６】
さらに図１３を参照されたい。それは本考案の結束ユニット（１）の別の実施例であり、それは結束ユニット（１）の結束用バンド装置（１１）の端部の内面と外面に、一部の面ファスナー（１８１）（１８２）が設けられ、並びに結束用バンド装置（１１）のバックル（１１１）に近い外面にも、部分的に面ファスナーが設けられる。
【００２７】
正常使用時には、結束用バンド装置（１１）の一端がバックル（１１１）に通されて、折り返された後、その端部外面に設けられた面ファスナー（１８２）と外面の面ファスナー（１８１）が結合され、これにより結束用バンド装置（１１）が緊密に強固に、結束、位置決めされる。
【００２８】
結束用バンド装置（１１）が比較的大きなサイズのオートバイ（４）又は自転車（３）のハンドル（４１）（３１）或いはその他の部位を結束する時に、結束用バンド装置（１１）の長さが十分に長くなく、結束用バンド装置（１１）の一端がバックル（１１１）に通されて折り返された後、その端部外面に設けられた面ファスナー（１８２）と外面の面ファスナー（１８１）が相互に粘着不能である時、結束用バンド装置（１１）の一端はバックル（１１１）に通された後に、直接結束用バンド装置（１１）の端部内面に設けられた面ファスナー（１８１）がバックル（１１１）近くの外面に設けられた面ファスナー（１８２）と相互に結合され、これにより結束用バンド装置（１１）が緊密に強固に結束され位置決めされ、これによりスマートフォン（１６）が強固にオートバイ（４）又は自転車（３）のハンドル（４１）（３１）或いはその他の部位に位置決めされる（図１４に示されるとおり）。
【００２９】
さらに、本考案は結束用バンド装置（１１）のバックル（１１１）近くの部分が固定カバー（１２）に結合され、並びに固定カバー（１２）の底面側辺に、面ファスナー（１８１）が設けられ、結束用バンド装置（１１）の外面に面ファスナー（１８１）が設けられ、並びに結束用バンド装置（１１）の端部の内面と外面に、それぞれ面ファスナー（１８２）が設けられ得る。
【００３０】
使用時には、結束用バンド装置（１１）の一端がバックル（１１１）に通されて折り返された後、その端部外面に設けられた面ファスナー（１８２）が外面の面ファスナー（１８１）と結合されるか（図１５に示されるとおり）、または、結束用バンド装置（１１）の一端がバックル（１１１）に通された後に、直接その端部内面に設けられた面ファスナー（１８２）が固定カバー（１２）底面側辺に設けられた面ファスナー（１８１）と結合されても、同じ目的を達成できる（図１６に示されるとおり）。
【００３１】
図１７、図１８及び図２４に示されるのは、本考案の別の一種のオートバイ又は自転車へのスマートフォン又はフラットパネルコンピュータの固定及び支持装置を示す。それは、スマートフォン（１６）或いはフラットパネルコンピュータ（８）の固定カバー（２）（６）の背面に、一つ或いは複数の結束用バンド装置（１１）が設けられ、該結束用バンド装置（１１）の一端にバックル（１１１）が設けられるか或いはバックル（１１１）が設けられず、バックル（１１１）が設けられる時は、他端はバックル（１１１）に通された後に、折り返されて相互に結合され、各結束用バンド装置（１１）の対応する結合面には、それぞれ面ファスナー（１８）或いはバックルが設けられる。
【００３２】
使用時には、スマートフォン（１６）が固定カバー（２）内に放置された後、さらに結束用バンド装置（１１）の一端が該バックル（１１１）に通されて折り返されて面ファスナー（１８）が相互に結合され、並びに結束用バンド装置（１１）に設けられた面ファスナー（１８）により、結束用バンド装置（１１）が強固に結束され位置決めされることで、スマートフォン（１６）がしっかりと手指（７３）に位置決めされる（図１９に示されるとおり）。バックル（１１１）が設けられない時は、直接結束用バンド装置（１１）の両端が組み合わされて接合されてリング状とされる。
【００３３】
撮影時には、片手の手指でスマートフォン（１６）のタッチパネル（１７）上のコントロールブロックをタッチし、スマートフォン（１６）にぐらつき或いは歪みを発生させず、撮影時の震動が比較的低く、良好な品質の撮影効果を得られる。且つ使用者が撮影する時に、手中から地面に落ちて損壊しにくい。
【００３４】
並びに、本考案の固定カバー（２）により、スマートフォン（１６）をリュックサック（７）のショルダーバンド（７１）或いは腰のベルト（７２）に取り付けることができ、これによりリュックサック（７）或いはポケット内のベル音が小さすぎて重要な電話を洩らすという状況を防止できる（図２１及び図２２）。
【００３５】
且つ、本考案は結束用バンド装置（１１）を直接スマートフォン（１６）の背部ケース（１７１）に結合させることができる（図２０に示されるとおり）。このほか、固定カバー（２）の背面に設けられた結束用バンド装置（１１）を対向するように折り曲げて相互に結合させてリング状態を形成させる時、該結束用バンド装置（１１）の形成するリングの大きさを調整することで、卓上面（８１）に置くときに、縦向き或いは横向きに重量が比較的軽いスマートフォン（１６）を支持できる（図２３及び図２５に示されるとおり）。
【００３６】
或いは、卓上面（８１）において重量が比較的重いフラットパネルコンピュータ（８）を支持する時は、そのうち一つの結束用バンド装置（１１）に硬質支持物（１１２）（１１３）を結束させ、この硬質支持物（１１２）（１１３）は任意の日用品とされ、これにより、縦向き或いは横向きにフラットパネルコンピュータ（８）を支持してそれに必要な視覚角度を形成させる目的を達成できる（図２６、図２７及び図２８に示されるとおり）。
【００３７】
且つ結束用バンド装置（１１）自身の材料特性により、必要なリングサイズを形成した時に、軽く固定カバー（２）（６）を押圧し、背面の結束用バンド装置（１１）の形成したリングを圧迫して変形させ、支持角度の変化を形成させ、無段支持の効果を達成することができる。
【００３８】
最後に、図２９、図３０及び図３１を参照されたい。本考案は、固定カバー（２）と結束用バンド装置（１１）の設計により、スマートフォン（１６）或いはパームトップ型ゲーム機を固定カバー（２）内に設置した後、結束用バンド装置（１１）でそれぞれ左右の手の手指（７３）を結束し、これによりスマートフォン（１６）或いはパームトップ型ゲーム機をしっかりと左右の手の間に位置決めし、軽く左右の手の親指でスマートフォン（１６）或いはパームトップ型ゲーム機をタッチしてゲーム操作を行え、且つスマートフォン（１６）或いはパームトップ型ゲーム機が手中より滑り落ちて損壊しにくい。
【００３９】
総合すると、本考案は、スマートフォンを強固にオートバイ及び自転車に位置決めでき、或いはフラットパネルコンピュータを自動車のステアリングホイールに固定して使用でき、これによりナビゲーション及びその他の機能を使用できるようにする。本考案は並びにスマートフォンで撮影する時のぐらつきと震動を防止し、撮影効果をアップし、縦向き或いは横向きにスマートフォン或いはフラットパネルコンピュータを支持してその必要な視覚角度に調整できる。
【符号の説明】
【００４０】
１  結束ユニット
１１  結束用バンド装置
１１１  バックル
１１２、１１３  硬質支持物
１２、２、５、６  固定カバー
１２１  開放部
１３  挿入口シール片
１４、１５  柔軟止滑層
１６  スマートフォン
１７  タッチパネル
１７１  背部ケース
１８、１８１、１８２、１９、２２  面ファスナー
２１、５１  挿入口
３  自転車
３１、４１  ハンドル
４  オートバイ
７  リュックサック
７１  ショルダーバンド
７２  ベルト
７３  手指
７４  親指
８  フラットパネルコンピュータ
８１  卓上面
９  自動車のステアリングホイール
【図１】
0003176972.tif 000003
【図２】
0003176972.tif 000004
【図３】
0003176972.tif 000005
【図４】
0003176972.tif 000006
【図５】
0003176972.tif 000007
【図６】
0003176972.tif 000008
【図７】
0003176972.tif 000009
【図８】
0003176972.tif 000010
【図９】
0003176972.tif 000011
【図１０】
0003176972.tif 000012
【図１１】
0003176972.tif 000013
【図１２】
0003176972.tif 000014
【図１３】
0003176972.tif 000015
【図１４】
0003176972.tif 000016
【図１５】
0003176972.tif 000017
【図１６】
0003176972.tif 000018
【図１７】
0003176972.tif 000019
【図１８】
0003176972.tif 000020
【図１９】
0003176972.tif 000021
【図２０】
0003176972.tif 000022
【図２１】
0003176972.tif 000023
【図２２】
0003176972.tif 000024
【図２３】
0003176972.tif 000025
【図２４】
0003176972.tif 000026
【図２５】
0003176972.tif 000027
【図２６】
0003176972.tif 000028
【図２７】
0003176972.tif 000029
【図２８】
0003176972.tif 000030
【図２９】
0003176972.tif 000031
【図３０】
0003176972.tif 000032
【図３１】
0003176972.tif 000033